(57)【特許請求の範囲】
【請求項１】
路面下に築造されたマンホール本体の上部に積載された上部コンクリートブロックの上面にマンホールの蓋受枠を据付ける施工法において、
前記上部コンクリートブロックの上面と前記蓋受枠の下部に形成された据付フランジとの間隔を蓋高さ調整装置により調整する第１工程と、
裏面に規制リングを備えた規制蓋を前記蓋受枠の上面及び外周面に嵌合させると共に、蓋受枠の据付フランジの上面と規制蓋の規制リングの下面との間に所定の間隙を設ける第２工程と、
前記上部コンクリートブロックの内周面と前記蓋受枠の据付フランジの内周面とに亘って内型枠を配設し、上部コンクリートブロックの外周面と前記規制蓋の規制リングの外周面とに亘って外型枠を配設すると共に、該外型枠の内周面と蓋受枠の据付フランジの外周面との間に充填材が流通するためのリング状の流通口を形成する第３工程と、
前記外型枠の内周面と前記規制蓋の規制リングの外周面との間から充填材を流し込み、充填材の上面を規制蓋の規制リングにより規制して硬化させる第４工程と、
を含むことを特徴とするマンホール蓋受枠の据付工法。
【請求項２】
前記規制蓋の規制リングは、弾性材料により構成されていることを特徴とする請求項１に記載のマンホール蓋受枠の据付工法。
【請求項３】
前記規制蓋は、弾性材料により構成されていることを特徴とする請求項２に記載のマンホール蓋受枠の据付工法。
【請求項４】
前記規制蓋には、規制リングと共にその外周面に充填材の充填口が形成されていることを特徴とする請求項１〜３のいずれか１項に記載のマンホール蓋受枠の据付工法。
【発明の詳細な説明】
【０００１】
【発明の属する技術分野】
本発明は、マンホール蓋受枠の据付工法に関し、詳しくは、路面下の既設マンホールの蓋高さ調整施工における充填材の充填の的確化と硬化の適正化を図ることができるマンホール蓋受枠の据付工法に関するものである。
【０００２】
【従来の技術】
従来、既設マンホールの蓋高さ調整施工あるいは路面下にマンホールを築造する際に、マンホールの蓋部は路面の傾斜に合わせて上下に調整する必要があり、このためのマンホールの蓋高さ調整工法が各種提案されている。
例えば、図５に示すように、マンホール上部を構成するコンクリートブロックａの上面に調整ボルトｂを立設し、該調整ボルトｂに螺合された調整ナットｃを調整してコイルスプリングｄにより支持されている蓋受枠ｅの傾斜を調整するものにおいては、調整ナットｃの弛みに起因するマンホール外部からマンホール内部への雨水の漏入を防止するために、コンクリートブロックａの上面から蓋受枠ｅの据付フランジｆの上部に亘る空間に充填材としてのモルタルＭを流し込むようにしている。
【０００３】
【発明が解決しようとする課題】
ところで、上述したようにして施工されたマンホール蓋受枠の据付工法においては、上部が開放された充填空間にモルタルＭを単に流し込むものであるから、充填されたモルタルＭは、その上面が水平状態を保持するため、路面に合わせて調整された蓋受枠ｅが傾斜している場合には、モルタルＭの水平表面に対して蓋受枠ｅの上面が傾斜しており、蓋受枠ｅの周辺領域における路面厚ｈに不均衡を生じ、特に蓋受枠ｅの傾斜による低い領域の路面厚ｈ’が薄くなり、舗装路面が損傷し易いという不都合があった。
【０００４】
また、調整ナットｃの弛みに起因するマンホール外部からマンホール内部への雨水の漏入を防止するために、蓋受枠ｅの据付フランジｆの上部空間に亘って充填されるモルタルＭは、調整ナットｃの弛みを防止することができればよいところ、蓋受枠ｅの傾斜による低い領域においてはモルタルＭが必要以上に充填され、モルタルＭの無駄を生ずるという不都合があった。
【０００５】
さらに、モルタルＭが充填される充填空間は上部が開放されており、充填されたモルタルＭの上面は直射日光にさらされるから、モルタルＭが硬化する前に乾燥収縮して、モルタルＭの適正な硬化を妨げるという不都合があった。
【０００６】
本発明は、上述の問題を解決するものであり、路面下の既設マンホールの蓋高さ調整施工における充填材の充填の的確化と硬化の適正化を図ることができるマンホール蓋受枠の据付工法を提供することを目的とするものである。
【０００７】
【課題を解決するための手段】
前記目的を達成するために、請求項１に記載の発明は、路面下に築造されたマンホール本体の上部に積載された上部コンクリートブロックの上面にマンホールの蓋受枠を据付ける施工法において、前記上部コンクリートブロックの上面と前記蓋受枠の下部に形成された据付フランジとの間隔を蓋高さ調整装置により調整する第１工程と、裏面に規制リングを備えた規制蓋を前記蓋受枠の上面及び外周面に嵌合させると共に、蓋受枠の据付フランジの上面と規制蓋の規制リングの下面との間に所定の間隙を設ける第２工程と、前記上部コンクリートブロックの内周面と前記蓋受枠の据付フランジの内周面とに亘って内型枠を配設し、上部コンクリートブロックの外周面と前記規制蓋の規制リングの外周面とに亘って外型枠を配設すると共に、該外型枠の内周面と蓋受枠の据付フランジの外周面との間に充填材が流通するためのリング状の流通口を形成する第３工程と、前記外型枠の内周面と前記規制蓋の規制リングの外周面との間から充填材を流し込み、充填材の上面を規制蓋の規制リングにより規制して硬化させる第４工程と、を含むものである。
【０００８】
この発明によると、蓋高さ調整装置により蓋高さが調整された蓋受枠の上面及び外周面に、裏面に規制リングを備えた規制蓋を嵌合して、蓋受枠の据付フランジの上面と規制蓋の規制リングの下面との間に所定の間隙を設け、上部コンクリートブロックの上面から規制蓋の規制リングの下面に亘る充填空間に充填材を流し込み、充填材の上面を規制蓋の規制リングにより規制して硬化させるものであるから、充填された充填材は、その上面が規制蓋の規制リングの下面により規制されるため、路面に合わせて調整された蓋受枠が傾斜している場合においても、充填材の上面は蓋受枠の上面と同様に傾斜しており、蓋受枠の周辺領域における舗装敷設空間を均一にすることができ、蓋受枠の周辺領域における舗装路面の強度を均一にすることができる。
【０００９】
また、充填された充填材の上面は規制蓋の規制リングの下面により規制されるから、蓋受枠の据付フランジの上部空間に充填される充填材を一定高さに規制することができ、蓋受枠の傾斜による低い領域においても充填材がオーバーフローして必要以上に充填されることがなく、充填材の無駄な充填を防止することができ、総じて、充填材の充填の的確化を図ることができる。
【００１０】
さらに、充填材が充填される充填空間は上部が規制蓋の規制リングにより閉鎖されており、充填された充填材の上面は直射日光にさらされることがないから、充填材が硬化する前に乾燥収縮することがなく、充填材の硬化の適正化を図ることができる。
【００１１】
請求項２に記載の発明は、請求項１に記載の発明において、規制蓋の規制リングは、弾性材料により構成されているものである。
この発明によると、規制蓋の規制リングは弾性材料により構成されているから、蓋高さ調整装置により蓋高さが調整された蓋受枠に規制蓋を嵌合した場合に、規制蓋の規制リングに蓋高さ調整装置の構成部品である調整ボルトが部分的に衝突したとしても、規制リングは部分的に弾性変形することにより、全体的には蓋受枠の据付フランジの上面と規制リングの下面との間の所定間隙を保持することができる。
【００１２】
請求項３に記載の発明は、請求項２に記載の発明において、規制蓋は、弾性材料により構成されているものである。
この発明によると、規制蓋は弾性材料により構成されているから、蓋受枠に規制蓋を嵌合する場合に、規制蓋の弾性変形により規制蓋の嵌合が容易であるばかりでなく、充填材の硬化後における規制蓋の取外しに際して、規制蓋の弾性変形により規制蓋の規制リングを充填材の一方の側から剥離しながら容易に取外すことができる。
【００１３】
請求項４に記載の発明は、請求項１〜３のいずれか１項に記載の発明において、規制蓋には、規制リングと共にその外周面に充填材の充填口が形成されているものである。
この発明によると、規制蓋には規制リングと共にその外周面に充填材の充填口が形成されているから、充填材の充填に際して、規制蓋をセットすることにより充填口を同時にセットすることができ、充填口に漏斗を安定に保持することにより、充填材の充填作業を容易に行うことができる。
【００１４】
【発明の実施の形態】
以下、本発明の実施の形態を図面に基づいて説明する。
図１はマンホールの上部の縦断正面図であり、符号１は道路の地下に築造されたマンホールで、このマンホール１内の下部には、図示しないが例えば通信管路等が貫通して接続されており、マンホール１の築造にあたっては、まず路面までの高さに基づいて設置される。
【００１５】
マンホール１は、基礎杭、グリ石等で固められた基礎の上に各種コンクリートブロック２を順に積み上げ、それぞれの接合部にエポキシ樹脂含浸体等の接着剤を配設して接着し、ずれ止めして設置される。そして、コンクリートブロック２の最上側には上部コンクリートブロック３が積み上げられ、上部コンクリートブロック３の上面はフラットに形成されており、後述する蓋高さ調整装置５の調整ボルト５１が埋め込まれている。なお、図示はしていないが、上部コンクリートブロック３の上面に雌ねじを埋め込み、この雌ねじに調整ボルト５１を螺着により立設してもよい。
【００１６】
図１において、符号４は金属製の蓋受枠であり、この蓋受枠４の下部には据付フランジ４１が一体に形成されており、この据付フランジ４１の外周寄りには挿通孔４２が複数個設けられている。また、蓋受枠４の上部には蓋受枠４の上面と面一にマンホール１の蓋体４３が着脱自在に嵌め込まれている。そして蓋受枠４は、蓋高さ調整装置５により路面の傾斜に合わせて上部コンクリートブロック３の上面に対して高さ調整され、この蓋受枠４の高さ調整後に、上部コンクリートブロック３の上面から蓋受枠４の据付フランジ４１の上部領域に亘る空間に充填材としてのモルタルＭを充填し硬化させることにより、マンホール１の蓋受枠４の据付けが行われる。
【００１７】
本発明の特徴とするところは、上記した上部コンクリートブロック３の上面から蓋受枠４の据付フランジ４１の上部領域に亘る空間にモルタルＭを充填するにあたって、裏面に規制リング１０を備えた規制蓋９を蓋受枠４の上面及び外周面に嵌合して、蓋受枠４の据付フランジ４１の上面と規制蓋９の規制リング１０の下面との間に所定の間隙を設けることによって、上部コンクリートブロック３の上面から規制蓋９の規制リング１０の下面に亘る充填空間に充填されたモルタルＭの上面を規制蓋９の規制リング１０により規制することにある。
なお、蓋受枠４の形状は、角形に形成したものであっても、また、円形に形成したものであってもよいことは言うまでもなく、この蓋受枠４の形状に基づいて規制蓋９の規制リング１０の形状も角形もしくは円形に形成したものとなる。
【００１８】
次に、本発明のマンホール蓋受枠４の据付工法を図１〜図３に基づいて詳しく説明する。
まず、図１に示すように、上部コンクリートブロック３の上面に立設されている調整ボルト５１に、円錐台形状のコイルスプリング５２を挿通すると共に、蓋受枠４の据付フランジ４１に穿設された挿通孔４２を挿通して、蓋受枠４をコイルスプリング５２で上下動自在に支承し、蓋受枠４の上側から調整ボルト５１に調整ナット５３を螺合し、この調整ナット５３の締め付けにより、コイルスプリング５２を押圧させながら蓋受枠４の高さを路面に合わせるように調整して、蓋受枠４を上部コンクリートブロック３に設置する。（第１工程）
【００１９】
次に、発泡ポリエチレンスポンジ等の弾性材料により構成されている規制リング１０を裏面に備えたばね板等の弾性材料により構成されている規制蓋９を蓋受枠４の上面及び外周面に嵌合させると共に、蓋受枠４の据付フランジ４１の上面と規制蓋９の規制リング１０の下面との間に所定の間隙を設ける。（第２工程）なお、規制蓋９には、規制リング１０と共にその外周面にモルタルＭの充填口１１が形成されている。
【００２０】
次に、蓋受枠４の据付フランジ４１の内周面と上部コンクリートブロック３の内周面とに亘って可撓性のゴム材で構成されている内型枠６を配設することにより、この内型枠６で上部コンクリートブロック３の上面と蓋受枠４の据付フランジ４１との間隔空間の内周側を閉鎖すると共に、上部コンクリートブロック３の外周面と規制蓋９の規制リング１０の外周面とに亘って可撓性のゴム材で構成されている外型枠７を配設すると共に、外型枠７の内周面と蓋受枠４の据付フランジ４１の外周面との間にモルタルＭが流通するためのリング状の流通口８を形成する。（第３工程）
【００２１】
次に、規制蓋９に、規制リング１０と共にその外周面に形成されている充填口１１に漏斗１２を保持させてモルタルＭを流し込み、モルタルＭの上面を規制蓋９の規制リング１０により規制しながら硬化させて、マンホール蓋受枠４の据付工法を完了する。（第４工程）
【００２２】
なお、モルタルＭを蓋受枠４の据付フランジ４１の上部まで充填して、モルタルＭで調整ナット５３を封鎖することにより、調整ナット５３の弛みによる蓋受枠４のガタツキを防止することができると共に、蓋受枠４の据付フランジ４１に穿設された挿通孔４２からマンホール１内部への雨水の漏入を防止することができる。
【００２３】
【発明の効果】
上述したように本発明のマンホール蓋受枠の据付工法によれば、充填された充填材は、その上面が規制蓋の規制リングの下面により規制されるため、路面に合わせて調整された蓋受枠が傾斜している場合においても、充填材の上面は蓋受枠の上面と同様に傾斜しており、蓋受枠の周辺領域における舗装敷設空間を均一にすることができ、蓋受枠の周辺領域における舗装路面の強度を均一にすることができ、また、蓋受枠の据付フランジの上部空間に充填される充填材を一定高さに規制することができ、蓋受枠の傾斜による低い領域においても充填材がオーバーフローして必要以上に充填されることがなく、充填材の無駄な充填を防止することができ、総じて、充填材の充填の的確化を図ることができる。さらに、充填材が充填される充填空間は上部が規制蓋の規制リングにより閉鎖され、充填された充填材の上面は直射日光にさらされることがないから、充填材が硬化する前に乾燥収縮することがなく、充填材の硬化の適正化を図ることができる。
【図面の簡単な説明】
【図１】充填材の充填状態を示すマンホール上部の部分縦断正面図である。
【図２】規制蓋の縦断正面図である。
【図３】規制蓋の底面図である。
【図４】施工完了の状態を示すマンホール上部の部分縦断正面図である。
【図５】従来例の説明図である。
【符号の説明】
１    マンホール
２    コンクリートブロック
３    上部コンクリートブロック
４    蓋受枠
４１  据付フランジ
４２  挿通孔
４３  蓋体
５    蓋高さ調整装置
５１  調整ボルト
５２  円錐台状のコイルスプリング
５３  調整ナット
６    内型枠
７    外型枠
８    リング状の流通口
９    規制蓋
１０  規制リング
１１  充填口
Ｍ    充填材としてのモルタル
【図１】
0003841666.tif 000002
【図２】
0003841666.tif 000003
【図３】
0003841666.tif 000004
【図４】
0003841666.tif 000005
【図５】
0003841666.tif 000006